(57)【要約】【課題】  横目地が縦目地に突き当たるＴ字目地部分において、横目地に侵入した水が縦目地を通って室内へ侵入するのを未然に防止することのできる横目地用の水切り部材を提供する。【解決手段】  外壁パネル１間の縦目地６に横目地５が突き当たって形成されるＴ字目地４部分において、横目地５に設けられるものであって、当該横目地５を形成する上側外壁パネル１ａと下側外壁パネル１ｂとの間に配置される水平壁１１と、水平壁１１の後端から立設され，上側外壁パネル１ａの背面に配置される後壁１２と、水平壁１１の前端から垂下設され，下側外壁パネル１ｂの前面に配置される前壁１３と、水平壁１１の縦目地６側の一端から立設すると共に，その後端を後壁１２に連設し，上側外壁パネル１ａの側面に配置される側壁１４と、で構成する。【選択図】      図２
2005299302.tif 000002
【特許請求の範囲】
【請求項１】
外壁パネル（１）間の縦目地（６）に横目地（５）が突き当たって形成されるＴ字目地（４）部分において、前記横目地に設けられる水切り部材であって、前記横目地を形成する上側外壁パネル（１ａ）と下側外壁パネル（１ｂ）との間に配置される水平壁（１１）と、前記水平壁の後端から立設され，前記上側外壁パネルの背面に配置される後壁（１２）と、前記水平壁の前端から垂下設され，前記下側外壁パネルの前面に配置される前壁（１３）と、前記水平壁の前記縦目地側の一端から立設すると共に，その後端を前記後壁に連設し，前記上側外壁パネルの側面に配置される側壁（１４）と、からなる横目地用水切り部材。
【請求項２】
外壁パネル（１）間の縦目地（６）に横目地（５）が突き当たって形成されるＴ字目地（４）部分において、前記横目地に設けられる水切り部材であって、前記横目地を形成する上側外壁パネル（１ａ）と下側外壁パネル（１ｂ）との間に配置される水平壁（１１）と、前記水平壁の後端から立設され，前記上側外壁パネルの背面に配置される後壁（１２）と、前記水平壁の前端から垂下設され，前記下側外壁パネルの前面に配置される前壁（１３）と、前記水平壁の前記縦目地側の一端から立設すると共に，その後端を前記後壁に連設し、前記上側外壁パネルの側面に配置される側壁（１４）と、で構成され、前記水平壁に，その前半部（１１ａ）を後半部（１１ｂ）より僅かに低くする段差（１５）を設けてなる横目地用水切り部材。
【請求項３】
水平壁（１１）の上面と下面にシール材（７）を配置したことを特徴とする請求項１又は２に記載の横目地用水切り部材。
【発明の詳細な説明】
【技術分野】
【０００１】
本発明は、外壁パネルを設けた建物のベランダ部分等において、縦目地に横目地が突き当たり、Ｔ字状の目地（Ｔ字目地４）が形成される部分における当該横目地に設けられる水切り部材に関するものである。
【背景技術】
【０００２】
図１、図６および図７を参照して説明する。従来、外壁パネル１を設けた建物のベランダＶ部分においては、建物本体Ｂの外壁パネル１とベランダＶを構成する外壁パネル１の設置高さを上下方向にずらしている。これは、両外壁パネル１の設置高さを揃えようとすると、ベランダＶの外壁パネル１の高さをその１／２に設定し、それを上下に設ける必要が生じるため、外壁パネル１の設置枚数が増加し、作業が繁雑となるのを避けるためである。
【０００３】
従って、建物本体Ｂの外壁パネル１とベランダＶの外壁パネル１の設置高さを上下方向にずらした建物では、建物本体Ｂの外壁パネル１とベランダＶの外壁パネル１との間には、縦目地６に横目地５が突き当たるＴ字目地４が形成される。
【０００４】
このようにして形成されたＴ字目地４にも目地材を設ける必要があるが、湿式処理によって目地材を充填しようとすると、Ｔ字目地４が狭小面に発生した場合、作業者の手が届き難いため施工が困難であることから、ステンレス製の水切り部材２０を設けて乾式処理を施す手段が存在する。
【０００５】
この水切り部材２０は、水平壁２１の後端から後壁２２を立設すると共に、前端から前壁２３を垂下設して構成し、水平壁２１を上側外壁パネル１ａと下側外壁パネル１ｂとの間（横目地５）に配置し、後壁２２を上側外壁パネル１ａの背面（室内側）に、また、前壁２３を下側外壁パネル１ｂの前面（室外側）に配置して設けるものである。従って、この水切り部材２０の止水が達成される箇所（止水ラインＬ１）は、上側外壁パネル１ａの背面に位置する後壁２２によって設定される。
【０００６】
一方、当該横目地５が突き当たる縦目地６は、各外壁パネル１の側面にあらかじめ取付けられたガスケット３同士が密着している。このガスケット３は、外壁パネル１の側面の前半部１１ａに設けられ、その前半部１１ａで止水ラインＬ２を設定している。
【発明の開示】
【発明が解決しようとする課題】
【０００７】
従って、この従来の水切り部材２０においては、横目地５の止水ラインＬ１が外壁パネル１の背面であるのに対して、縦目地６の止水ラインＬ２が外壁パネル１の前半部１１ａであるため、横目地５に侵入した水Ｗが、水切り部材２０の水平壁２１を通過して縦目地６の止水ラインＬ２より室内側へ流れ込み、室内へ侵入してしまうといった問題が発生する。
【０００８】
本発明はこうした問題に鑑み創案されたもので、外壁パネルを設けた建物のベランダ部分等のように、横目地が縦目地に突き当たるＴ字目地部分において、横目地に侵入した水が縦目地を通って室内へ侵入するのを未然に防止することのできる横目地用の水切り部材を提供することを課題とする。
【課題を解決するための手段】
【０００９】
図１乃至図５を参照して説明する。請求項１に記載の発明に係る水切り部材１０は、外壁パネル１間の縦目地６に横目地５が突き当たって形成されるＴ字目地４部分において、前記横目地５に設けられるものであって、前記横目地５を形成する上側外壁パネル１ａと下側外壁パネル１ｂとの間に配置される水平壁１１と、前記水平壁１１の後端から立設され，前記上側外壁パネル１ａの背面に配置される後壁１２と、前記水平壁１１の前端から垂下設され，前記下側外壁パネル１ｂの前面に配置される前壁１３と、前記水平壁１１の前記縦目地６側の一端から立設すると共に，その後端を前記後壁１２に連設し，前記上側外壁パネル１ａの側面に配置される側壁１４と、からなるものである。
【００１０】
請求項２に記載の発明に係る水切り部材１０は、外壁パネル１間の縦目地６に横目地５が突き当たって形成されるＴ字目地４部分において、前記横目地５に設けられるものであって、前記横目地５を形成する上側外壁パネル１ａと下側外壁パネル１ｂとの間に配置される水平壁１１と、前記水平壁１１の後端から立設され，前記上側外壁パネル１ａの背面に配置される後壁１２と、前記水平壁１１の前端から垂下設され，前記下側外壁パネル１ｂの前面に配置される前壁１３と、前記水平壁１１の前記縦目地６側の一端から立設すると共に，その後端を前記後壁１２に連設し、前記上側外壁パネル１ａの側面に配置される側壁１４と、で構成され、前記水平壁１１に，その前半部１１ａを後半部１１ｂより僅かに低くする段差１５を設けてなるものである。
【００１１】
請求項３に記載の発明に係る水切り部材は、請求項１又は２に記載の発明において、水平壁１１の上面と下面にシール材７を配置したものである。
【発明の効果】
【００１２】
請求項１に記載の発明は、水平壁１１、後壁１２および前壁１３に加えて、水平壁１１の縦目地６側の一端から立設され、その後端を後壁１２に連設し、上側外壁パネル１ａの側面に配置される側壁１４を設けたので、横目地５に侵入した水Ｗが縦目地６を通って室内へ侵入することがない。
【００１３】
すなわち、横目地５の止水ラインＬ１は後壁１２によって設定されるため外壁パネル１の背面となり、縦目地６の止水ラインＬ２は外壁パネル１の前半部１１ａにあらかじめ設けられたガスケット３によって設定されているため、水切り部材に側壁１４が設けられていない場合は、横目地５の水Ｗが縦目地６に侵入してしまうが、本発明に係る水切り部材は、その水Ｗを側壁１４で遮るので、こうした事態が生じない。従って、横目地５の水Ｗが室内へ侵入するのを未然に防止することができる。
【００１４】
請求項２に記載の発明は、請求項１に記載の発明と同様に、横目地５の水Ｗが縦目地６を通って室内へ侵入するのを未然に防止することができると共に、水平壁１１に段差１５を設けて前半部１１ａを後半部１１ｂより僅かに低く設定しているので、前半部１１ａに侵入した水Ｗが後半部１１ｂに侵入するのを阻止し、また、後半部１１ｂに侵入した水Ｗを前半部１１ａを通して外へ排出することができる。また、その段差１５を利用して、シール材７を多重に設けることができる。従って、シール性をさらに高めることができる。
【００１５】
請求項３に記載の発明に係る水切り部材は、請求項１又は２に記載の発明に比べ、シール材７を水切り部材の水平壁１１の上面と下面に設けることにより外壁パネル１と水切り部材１０間のシール性を更に向上させることが出来る。
【発明を実施するための最良の形態】
【００１６】
本発明に係る水切り部材１０の実施形態を、図１乃至図５に示す。これは、外壁パネル１を設けた建物のベランダＶ部分において、縦目地６に横目地５が突き当たって形成されるＴ字目地４部分に、その横目地５に設けられる水切り部材であり、水平壁１１、後壁１２、前壁１３および側壁１４で構成されるステンレス，アルミニウム等金属板製である。
【００１７】
なお、本実施形態においては、図１のＸ部分に設けた場合について説明するが、同図のＹ部分やＺ部分にも、同様に設けることができる。また、ベランダＶ部分以外におけるＴ字目地４部分にも、同様に設けることができる。この水切り部材１０のＴ字目地４と反対側には、側壁１４を持たない水切り部材１６を連続して設ける。
【００１８】
本水切り部材１０において、その水平壁１１は、そのほぼ中央部に段差１５を設けて、前半部１１ａを後半部１１ｂより僅かに低く設定し、その上面と下面にシール材（例えば、ＥＰＤＭスポンジ）７を配置するようにしている。
【００１９】
後壁１２は、水平壁１１の後端から垂直に立設され、上側外壁パネル１ａの背面に配置される。また、前壁１３は、水平壁１１の前端から垂直に垂下設され、下側外壁パネル１ｂの前面に配置される。
【００２０】
そして、側壁１４は、水平壁１１の縦目地６側の一端から垂直に立設されると共に、その後端が後壁１２に連設され、上側外壁パネル１ａの側面に配置される。なお、外壁パネル１は、パネル本体２と、その側面前半部１１ａにあらかじめ取付けられたガスケット３とで構成される。
【００２１】
本実施形態における水切り部材１０の作用について説明する。例えば、雨天時において、雨水Ｗが横目地５に侵入した場合、その水Ｗは止水部材１０の後壁１２によって室内へ侵入するのが阻止される。また、この水ＷがＴ字目地４部分の縦目地６方向に移動した場合、当該水Ｗは側壁１４に突き当たり、それ以上移動することができないので、縦目地６を通って室内へ侵入することもない。
【００２２】
ちなみに、従来技術においては、縦目地６の止水ラインＬ２が横目地５の止水ラインＬ１より室外側に設定されていたので、当該水Ｗは縦目地６を通過して室内へ侵入していたが、本発明では側壁１４によって水Ｗの移動を阻止するのでそうした事態が発生しない。従って、水ＷがＴ字目地４部分から室内へ侵入するのを未然に防止することができる。
【００２３】
なお、本実施形態においては、水平壁１１に段差１５を設けて前半部１１ａを後半部１１ｂより僅かに低く設定したので、前半部１１ａに侵入した水Ｗが後半部１１ｂに侵入するのを阻止し、また、後半部１１ｂに侵入した水Ｗを前半部１１ａを通して外へ排出することができる。また、段差１５を設けたことによって、前半部１１ａと後半部１１ｂの上下両面に、シール材７を多重に設けることができる。従って、シール性を高めることができる。
【図面の簡単な説明】
【００２４】
【図１】外壁パネルを設けた建物を示す要部斜視図である。
【図２】本発明に係る水切り部材の実施形態を示すもので、図１におけるＸ部の拡大図である。
【図３】図２の正面図である。
【図４】図３のＩ−Ｉ線断面図である。
【図５】本発明に係る水切り部材の実施形態を示す斜視図である。
【図６】従来例に係る水切り部材を示す斜視図である。
【図７】従来例に係る水切り部材を示すもので、本発明の実施形態を示す図４に相当する断面図である。
【符号の説明】
【００２５】
１        外壁パネル
１ａ      上側外壁パネル
１ｂ      下側外壁パネル
２        パネル本体
３        ガスケット
４        Ｔ字目地
５        横目地
６        縦目地
７        シール材
１０      水切り部材
１１      水平壁
１１ａ    前半部
１１ｂ    後半部
１２      後壁
１３      前壁
１４      側壁
１５      段差
１６      水切り部材
２０      水切り部材
２１      水平壁
２２      後壁
２３      前壁
Ｂ        建物本体
Ｌ１      横目地の止水ライン
Ｌ２      縦目地の止水ライン
Ｖ        ベランダ
Ｗ        水
【図１】
2005299302.tif 000003
【図２】
2005299302.tif 000004
【図３】
2005299302.tif 000005
【図４】
2005299302.tif 000006
【図５】
2005299302.tif 000007
【図６】
2005299302.tif 000008
【図７】
2005299302.tif 000009